(57)【特許請求の範囲】
【請求項１】
本体の底板となるユニットベースと、
前記ユニットベース上に設置され、ガスクーラーを収納するケースと、
前記ケースを覆うカバーとを備えた給湯室外機であって、
前記カバーは、上面が下方向へ傾斜した傾斜面を有し、かつ、前記傾斜面に雨水の排水径路を特定するガイド突起を設け、
前記カバーを前記ユニットベースにネジ止めするネジ止め部が設けられ、該ネジ止め部に雨水の排水径路が当たらないように、前記ネジ止め部の上方の前記傾斜面上に前記ガイド突起を設けた
ことを特徴とする給湯室外機。
【請求項２】
本体の底板となるユニットベースと、
前記ユニットベース上に設置され、ガスクーラーを収納するケースと、
前記ケースを覆うカバーと、
前記ユニットベース上に設置され、下端が前記カバーの上面よりも下方に位置する蒸発器と、を備えた給湯室外機であって、
前記カバーは、上面が下方向へ傾斜した傾斜面を有し、かつ、前記傾斜面に雨水の排水径路を特定するガイド突起を設けたことを特徴とする給湯室外機。
【請求項３】
前記カバーを前記ユニットベースにネジ止めするネジ止め部が設けられ、該ネジ止め部に雨水の排水径路が当たらないように、前記ネジ止め部の上方の前記傾斜面上に前記ガイド突起を設けたことを特徴とする請求項２記載の給湯室外機。
【発明の詳細な説明】
【技術分野】
【０００１】
本発明は、ガスクーラーを備えた給湯室外機に関するものである。
【背景技術】
【０００２】
従来の給湯室外機は、本体の底板となるユニットベースと、ユニットベース上に設置されガスクーラーを収納するケースと、ケースを覆い、上面が平らなカバーとを有している（たとえば、特許文献１参照）。
【先行技術文献】
【特許文献】
【０００３】
【特許文献１】特開２００９−１５０６４７号公報（図２）
【発明の概要】
【発明が解決しようとする課題】
【０００４】
従来の給湯室外機は、ガスクーラーカバーの上に雨水が滞留しそのまま氷結する恐れがある。氷結した雨水は前面パネルのベルマウスとブリッジし、送風ファンと干渉して異音を発生する原因となる。
【０００５】
本発明は、上記のような課題を解決するためになされたもので、その目的とするところは、ガスクーラーカバー上に雨水が滞留せずに排水できる、給湯室外機を得ることにある。
【０００６】
また、雨水の排水経路を特定するとともに確実にユニットベース内に排水することで、雨水の排水をガスクーラーの水漏れと錯誤されないようにする給湯室外機を得ることを目的とする。
【課題を解決するための手段】
【０００７】
本発明に係る給湯室外機は、本体の底板となるユニットベースと、ユニットベース上に設置され、ガスクーラーを収納するケースと、ケースを覆うカバーとを備えた給湯室外機であって、前記カバーは、上面が下方向へ傾斜した傾斜面を有し、かつ、前記傾斜面に雨水の排水径路を特定するガイド突起を設け、前記カバーを前記ユニットベースにネジ止めするネジ止め部が設けられ、該ネジ止め部に雨水の排水径路が当たらないように、前記ネジ止め部の上方の前記傾斜面上に前記ガイド突起を設けたものである。
【発明の効果】
【０００８】
本発明の給湯室外機は、ユニットベース内に収納するガスクーラカバーに傾斜を設け、その傾斜面に雨水の排水径路を特定するガイド突起を設けたので、ガスクーラーカバー上に侵入した雨水の排水が容易にできるという効果を有する。
【図面の簡単な説明】
【０００９】
【図１】本発明の実施の形態１に係る給湯室外機を示す正面図である。
【図２】図１の給湯室外機の内部の一部分を示す斜視図である。
【図３】図１の給湯室外機のガスクーラーケースを分解して示す分解斜視図である。
【図４】図１の給湯室外機を側方からみた断面側面図である。
【発明を実施するための形態】
【００１０】
実施の形態１．
図１は本発明の実施の形態１に係る給湯室外機の正面図、図２は同給湯室外機の内部の一部分を示す斜視図、図３は同給湯室外機のガスクーラーケースの分解斜視図、図４は同給湯室外機を側方からみた断面側面図である。
図において、給湯室外機１０は、箱体状のケーシングからなる本体１を有する。この本体１内には、給湯室外機１０の主要構成要素である圧縮機１１、水循環ポンプ（図示省略）、ガスクーラー３、蒸発器１２、送風ファン１３、ファンモーター１４等が収容されている。また、本体１の前面には吹き出しグリル１５が設けられた前面パネル１６が設置され、吹き出しグリル１５と送風ファン１３との間には吹出口を形成するベルマウス１７が設けられている。蒸発器１２は略Ｌ型状に屈曲されており、これに対応する本体１の側面と背面に図示しない吸込口が設けられている。なお、図１、図４において、１８はドレン口部である。
ガスクーラー３は、図３に示すように、本体１の底板となるユニットベース２上に設置されたガスクーラーケース４内に収容されている。ガスクーラーケース４は、その上部を断熱カバー５を介してガスクーラカバー６で覆われている。
【００１１】
ガスクーラカバー６は、上面が下方向へ傾斜した傾斜面６ａを有し、その傾斜面６ａ上に、図２に矢印２０で示すように、雨水を特定方向へ流下させる、つまり雨水の排水径路を特定するガイド突起７（ビードとも呼ばれる）が設けられている。ガスクーラカバー６に一体の凸部により形成されるガイド突起７は、図示の形状に限定するものではないが、例えば逆Ｖの字状に形成されており、傾斜面６ａの下端縁部に沿って少なくとも１つ以上配置されている。
【００１２】
また、ガスクーラーカバー６は、傾斜面６ａから前面下方へ垂直に垂下する前面部６ｂを有し、前面部６ｂの中央部にはユニットベース２にネジで固定されるネジ止め部６ｃが設けられている。ネジ止め部６ｃの腐食を防ぐため、上記ガイド突起７は、雨水がこのネジ止め部６ｃを避けて流れ落ちるように、すなわちネジ止め部６ｃに雨水の排水径路が当たらないように、ネジ止め部６ｃの上方の傾斜面６ａ下端縁部の位置に必ず１つは設けられている。また、ネジ止め部６ｃに雨水がかからないようにすればよいので、ガイド突起７の形状は逆Ｕの字状や円弧状等に形成してもよい。
【００１３】
次に動作について説明する。
上記のように構成された給湯室外機１０においては、雨水が前面パネル１６の吹き出しグリル１５を通してガスクーラーカバー６上に滴下した場合は、図２および図４に矢印で示すように、ガスクーラーカバー６の傾斜面６ａに沿って雨水は流れ落ち、その傾斜面６ａ上に設けられたガイド突起７により雨水は特定の方向に案内されつつ流下し、ユニットベース２内に回収される。
このように、ガイド突起７により排水が誘導されるため、ネジ止め部６ｃに雨水が接触することはない。
また、ユニットベース２内に回収された雨水はドレン排水とともに、ユニットベース２より機外に排出される。
【００１４】
以上のように、本実施の形態の給湯室外機１０では、ガスクーラーカバー６に滴下した雨水を傾斜面６ａに沿って排水するようにしているので、排水が容易で、また傾斜面６ａに設けたガイド突起７により排水方向が特定できるため、ユニットベース２への排水が確実にできる。また、雨水がガスクーラーカバー６上に保持されないため、従来のようにそのまま氷結することがなく、前面パネル１６のベルマウス１７との間でブリッジし送風ファン１３と干渉することがない。
従来の場合は、ガスクーラーカバーの上面が平らでベルマウス１６との間の距離も近いため、図４のＡ部で示す箇所で氷結を起こしていたものである。
本実施の形態によればこの氷結の発生を防止できる効果がある。また、雨水の排水径路が特定されるため、雨水の排水をガスクーラーカバー６の水漏れと錯誤されることがない。
【符号の説明】
【００１５】
１  本体、２  ユニットベース、３  ガスクーラー、４  ガスクーラーケース、５  断熱カバー、６  ガスクーラーカバー、６ａ  傾斜面、６ｂ  前面部、６ｃ  ネジ止め部、７  ガイド突起（ビード）、１０  給湯室外機、１１  圧縮機、１２  蒸発器、１３  送風ファン、１４  ファンモーター、１５  吹き出しグリル、１６  前面パネル、１７  ベルマウス、１８  ドレン口部。
【図１】
0005511414.tif 000002
【図２】
0005511414.tif 000003
【図３】
0005511414.tif 000004
【図４】
0005511414.tif 000005